(57)【特許請求の範囲】
【請求項１】
プレート状装着部材および前記プレート状装着部材の両面に一体成形された一対のガスケットを有し、
前記一対のガスケットは互いに対応して、ガスケット長手方向に延びるシールリップ、および前記シールリップの両側または片側に配置されるとともに前記シールリップよりも高さの低い側部を一体に有し、
前記プレート状装着部材は前記一対のガスケットの側部同士を連通する位置に厚さ方向に貫通するスルーホールを有し、前記スルーホールを介して前記一対のガスケットが互いに一体に成形され、
前記スルーホールの開口形状はガスケット長手方向に長い形状に設定され、
前記ガスケットの側部には、その平面上に、ガスケット長手方向に延びる溝状凹部が設けられていることを特徴とする燃料電池用構成部品。
【請求項２】
プレート状装着部材および前記プレート状装着部材の両面に一体成形された一対のガスケットを有し、
前記一対のガスケットは互いに対応して、ガスケット長手方向に延びるシールリップ、および前記シールリップの両側または片側に配置されるとともに前記シールリップよりも高さの低い側部を一体に有し、
前記プレート状装着部材は前記一対のガスケットの側部同士を連通する位置に厚さ方向に貫通するスルーホールを有し、前記スルーホールを介して前記一対のガスケットが互いに一体に成形され、
前記スルーホールの開口形状はガスケット長手方向に長い形状に設定され、
前記ガスケットの側部には、そのガスケット長手方向の一部に、前記側部の幅寸法を拡大する舌片状の幅寸法拡大部が設けられ、前記幅寸法拡大部と平面上重なる位置に前記スルーホールが配置されていることを特徴とする燃料電池用構成部品。
【請求項３】
プレート状装着部材および前記プレート状装着部材の両面に一体成形された一対のガスケットを有し、
前記一対のガスケットは互いに対応して、ガスケット長手方向に延びるシールリップ、および前記シールリップの両側または片側に配置されるとともに前記シールリップよりも高さの低い側部を一体に有し、
前記プレート状装着部材は前記一対のガスケットの側部同士を連通する位置に厚さ方向に貫通するスルーホールを有し、前記スルーホールを介して前記一対のガスケットが互いに一体に成形され、
前記スルーホールの開口形状はガスケット長手方向に長い形状に設定されている燃料電池用構成部品を製造する方法であって、
前記ガスケットを金型による射出成形によって成形し、
前記金型は、前記プレート状装着部材をセットする空間と、一方の前記ガスケットを成形する空間と、他方の前記ガスケットを成形する空間と、前記一方のガスケットを成形する空間に開口する成形材料注入ゲートとを有し、
前記注入ゲートは、セットした状態の前記プレート状装着部材におけるスルーホールと平面上重なる位置に配置され、かつ前記注入ゲートの開口形状は前記スルーホールと同様にガスケット長手方向に長い形状に設定され、
前記金型を用いて前記ガスケットを成形することを特徴とする燃料電池用構成部品の製造方法。
【発明の詳細な説明】
【技術分野】
【０００１】
本発明は、燃料電池用構成部品とその製造方法に関するものである。
【背景技術】
【０００２】
例えば図６に示すように、固体高分子型燃料電池におけるスタック中のシールであるガスケット５１については、これをセパレータやＭＥＡ（膜電極複合体）などのプレート状装着部材（以下、単にプレートとも称する）５２に一体成形したものが多数発明されている（例えば特許文献１参照）。これら一体型のガスケット５１には、プレート５２上の発電エリア５３が可及的に広くなるように省スペースの設計が要求される。
【０００３】
また、セパレータやＭＥＡなどのプレート５２におけるガスケット５１と平面上重なる位置にスルーホールを設けて、プレート５２の両面に一対のガスケット５１を一度に成形する方法も提案されている。例えばＭＥＡであればアノード側とカソード側、セパレータであればアノード側とカソード側、アノード側と冷却面、カソード側と冷却面などに一対のガスケット５１が一体成形される。
【０００４】
しかしながら、スルーホールはこれをシールリップの真下に設けた場合、ガスケット５１の加硫による引けなどが発生するため十分な面圧や反力が得られずに適切でない。したがって図７に示すように、スルーホール５４をシールリップ５５の真下より距離を置いた部分に設け、すなわちガスケット５１は、ガスケット長手方向に延びるシールリップ５５と、シールリップ５５の両側または片側（図では両側）に配置されるとともにシールリップ５５よりも高さの低い側部５６とを一体に有しているので、この後者の側部５６と平面状重なる位置にスルーホール５４を設けることが行なわれている。しかしながらこの場合には、スルーホール５４部分にガスケット５１を成形するためのスペースが必要となるため、ガスケット５１の相手部材（スタック締付け時にガスケット５１と対峙する部材、図示せず）にはこれにガスケット５１のシール溝を設ける場合、スルーホール５４部分が溝内に収まるように考慮した形状にしなければならない。つまりガスケット５１の幅ｗ１およびこれが収まる溝の幅を最小に設計しても、スルーホール５４部分でガスケット幅ｗ２や溝幅が大きくなり、結果、上記省スペース化の要求に応えることができない。
【０００５】
また、この問題を解決するため、スルーホール５４を小さくすることが考えられ、すなわち従来スルーホール５４の開口形状は円形（真円形）であったので、その径寸法を小さくすることが考えられる。しかしながらこのようにスルーホール５４を小さくした場合には、１度の射出成形でプレート５２の反対面（ゲート側に対し）すべてに成形材料を充填することができない。これは成形材料のスルーホール５４通過時の圧力損失などが影響するものと考えられる。また、小さなスルーホール５４と平面上重なる位置に金型の成形材料注入ゲート（ゴム成形用射出ゲート）を配置した場合には、射出圧の影響によりプレート５２のスルーホール５４部分が変形してしまう虞がある。
【先行技術文献】
【特許文献】
【０００６】
【特許文献１】特開２００５−１６６５０８号公報
【発明の概要】
【発明が解決しようとする課題】
【０００７】
本発明は以上の点に鑑みて、プレート状装着部材の両面に一対のガスケットを有し、プレート状装着部材には一対のガスケットを一体に成形するためのスルーホールが設けられている燃料電池用構成部品において、ガスケットの幅寸法を可及的に小さくすることができ、もって上記冒頭に記載した省スペース化の要求に応えることができる燃料電池用構成部品とその製造方法を提供することを目的とする。また、金型における注入ゲートの開口面積を確保したうえで、射出圧の影響によりプレートが変形するのを抑制することができる燃料電池用構成部品の製造方法を提供することを目的とする。
【課題を解決するための手段】
【０００８】
上記目的を達成するため、本発明の請求項１による燃料電池用構成部品は、プレート状装着部材および前記プレート状装着部材の両面に一体成形された一対のガスケットを有し、前記一対のガスケットは互いに対応して、ガスケット長手方向に延びるシールリップ、および前記シールリップの両側または片側に配置されるとともに前記シールリップよりも高さの低い側部を一体に有し、前記プレート状装着部材は前記一対のガスケットの側部同士を連通する位置に厚さ方向に貫通するスルーホールを有し、前記スルーホールを介して前記一対のガスケットが互いに一体に成形され、前記スルーホールの開口形状はガスケット長手方向に長い形状に設定され、前記ガスケットの側部には、その平面上に、ガスケット長手方向に延びる溝状凹部が設けられていることを特徴とする。
【０００９】
また、本発明の請求項２による燃料電池用構成部品は、プレート状装着部材および前記プレート状装着部材の両面に一体成形された一対のガスケットを有し、前記一対のガスケットは互いに対応して、ガスケット長手方向に延びるシールリップ、および前記シールリップの両側または片側に配置されるとともに前記シールリップよりも高さの低い側部を一体に有し、前記プレート状装着部材は前記一対のガスケットの側部同士を連通する位置に厚さ方向に貫通するスルーホールを有し、前記スルーホールを介して前記一対のガスケットが互いに一体に成形され、前記スルーホールの開口形状はガスケット長手方向に長い形状に設定され、前記ガスケットの側部には、そのガスケット長手方向の一部に、前記側部の幅寸法を拡大する舌片状の幅寸法拡大部が設けられ、前記幅寸法拡大部と平面上重なる位置に前記スルーホールが配置されていることを特徴とする。
【００１１】
更にまた、本発明の請求項３による燃料電池用構成部品の製造方法は、プレート状装着部材および前記プレート状装着部材の両面に一体成形された一対のガスケットを有し、前記一対のガスケットは互いに対応して、ガスケット長手方向に延びるシールリップ、および前記シールリップの両側または片側に配置されるとともに前記シールリップよりも高さの低い側部を一体に有し、前記プレート状装着部材は前記一対のガスケットの側部同士を連通する位置に厚さ方向に貫通するスルーホールを有し、前記スルーホールを介して前記一対のガスケットが互いに一体に成形され、前記スルーホールの開口形状はガスケット長手方向に長い形状に設定されている燃料電池用構成部品を製造する方法であって、前記ガスケットを金型による射出成形によって成形し、前記金型は、前記プレート状装着部材をセットする空間と、一方の前記ガスケットを成形する空間と、他方の前記ガスケットを成形する空間と、前記一方のガスケットを成形する空間に開口する成形材料注入ゲートとを有し、前記注入ゲートは、セットした状態の前記プレート状装着部材におけるスルーホールと平面上重なる位置に配置され、かつ前記注入ゲートの開口形状は前記スルーホールと同様にガスケット長手方向に長い形状に設定され、前記金型を用いて前記ガスケットを成形することを特徴とする。
【００１２】
従来スルーホールの開口形状は円形であり、これに対して開口面積を確保したままスルーホールの開口形状をガスケット長手方向に長い形状に設定すると、これと平面上重なる位置に設けられるガスケットの側部の幅寸法を小さくすることが可能となる。
【００１３】
すなわち、従来スルーホールの開口形状は円形であり、これと平面上重なる位置に設けられるガスケットの側部の幅は、スルーホールの径寸法よりも大きく設定しなければならなかった。これに対して本発明によれば、スルーホールの開口面積を同等に確保したままスルーホールの開口形状をガスケット長手方向に長い形状に設定したため、これと平面上重なる位置に設けられるガスケットの側部の幅寸法を従来よりも小さくすることが可能となる。ガスケット長手方向に長い形状としては長方形や長円形（長丸形）などを挙げることができるが、開口周縁部における応力分散を実現する等の点からして、長円形（長丸形）とするのが最も好適である。
【００１４】
また、ガスケットにおける側部は一般に平板状であるが、シールリップ圧縮時の逃げ部を十分に確保する等の点からして、その平面上に、ガスケット長手方向に延びる溝状凹部を有するものであっても良い（請求項１）。
【００１５】
また、側部のガスケット長手方向の一部に、側部の幅寸法を拡大する舌片状の幅寸法拡大部を設け、この幅寸法拡大部と平面上重なる位置にスルーホールを配置するようにしても良い。そして上記したようにスルーホールの開口形状はガスケット長手方向に長い形状に設定されるため、幅寸法拡大部を含む側部の幅寸法を従来よりも小さくすることが可能となる（請求項２）。
【００１６】
また、上記したようにスルーホールの開口形状をガスケット長手方向に長い形状に設定する場合、これと平面上重なる位置に配置される金型の注入ゲートの開口形状が円形のままでは、スルーホールの開口形状から注入ゲートの開口形状が一部はみ出すことになって、射出圧の影響によりスルーホール周縁部が変形してしまう虞がある。これに対し本発明の製造方法では、金型の注入ゲートが、セットした状態のプレート状装着部材におけるスルーホールと平面上重なる位置に配置され、かつ注入ゲートの開口形状がスルーホールと同じくガスケット長手方向に長い形状に設定されているため、スルーホールの開口形状から注入ゲートの開口形状がはみ出すことがなく、よって金型における注入ゲートの開口面積を確保したうえで、射出圧の影響によりスルーホール周縁部が変形するのを抑制することが可能となる（請求項３）。ガスケット長手方向に長い形状の代表例としてはスルーホールと同じく、長円形（長丸形）を挙げることができる。
【発明の効果】
【００１７】
本発明は、以下の効果を奏する。
【００１８】
すなわち、上記したように従来スルーホールの開口形状は円形であり、これに対して開口面積を確保したままスルーホールの開口形状をガスケット長手方向に長い形状に設定することにより、これと平面上重なる位置に設けられるガスケットの側部の幅寸法を小さくすることが可能となる。したがってガスケット全体の幅寸法を小さくすることができ、上記ガスケットの省スペース化の要求に応えることができる。
【００１９】
また、本発明の製造方法では、スルーホールの開口形状から注入ゲートの開口形状がはみ出すことがないため、金型における注入ゲートの開口面積を確保したうえで、射出圧の影響によりプレートのスルーホール周縁部が変形するのを抑制することができる。
【図面の簡単な説明】
【００２０】
【図１】本発明の第一実施例に係る燃料電池用構成部品を示す図であって、（Ａ）はその要部断面図、（Ｂ）はその要部平面図
【図２】同燃料電池用構成部品の製造方法を示す図であって、（Ａ）は金型の要部断面図、（Ｂ）は注入ゲートの開口形状を示す説明図
【図３】本発明の第二実施例に係る燃料電池用構成部品を示す図であって、（Ａ）はその要部断面図、（Ｂ）はその要部平面図
【図４】同燃料電池用構成部品の製造方法を示す図であって、（Ａ）は金型の要部断面図、（Ｂ）は注入ゲートの開口形状を示す説明図
【図５】本発明の第三実施例に係る燃料電池用構成部品を示す図であって、（Ａ）はその要部斜視図、（Ｂ）はその要部断面図、（Ｃ）はその要部平面図
【図６】燃料電池用構成部品の一般的構造を示す平面図
【図７】従来例に係る燃料電池用構成部品を示す図であって、（Ａ）はその要部斜視図、（Ｂ）はその要部断面図、（Ｃ）はその要部平面図
【発明を実施するための形態】
【００２１】
本発明には、以下の実施形態が含まれる。
【００２２】
（１）燃料電池に組み込まれるセパレータや、エンドプレートなどのプレート類の両面にガスケットを一体化してなるプレート一体シールにおいて、プレートのスルーホールおよび、ガスケットの射出成形ゲートが、長丸形状であることを特徴とする、燃料電池用ガスケット。
【００２３】
（２）通常プレートに施されるスルーホールは円形状のものが考えられる。そして、ガスケットの成形はプレートの上下面に確実に固定化されるために、またシール性をより確実なものとするために等の理由で、プレートのスルーホールがガスケットに完全に覆われていなければならない。したがってガスケットの幅は、このスルーホールの部分がより支配的となる。つまりシール幅を小さくするためには、スルーホール部位のガスケット幅を如何に小さくするが必要である。このスルーホールは円形状であればφ０．５以上好ましくはφ０．８以上である。スルーホールは、成形時にゴム材料が両面のキャビティに充填されるように、間隔を置いて配置される。そして、射出ゲートはプレートが射出圧の影響により変形しないため、またゲート部と反対側のキャビティ面に速やかに充填されることを目的に、スルーホールの真上に配置される。したがって、射出によるプレートの変形を起こさないためには、ゲート径はスルーホール径より小さくする必要がある。ガスケット幅を小さくするにはこのスルーホールと射出ゲートを小さくする手法が挙げられる。しかしながら、ゴムの成形性を考慮すると、材料にもよるが射出ゲートの径は、円形状の場合φ０．３好ましくはφ０．４以上の径が必要である。ここでこれらの問題を解決するために、このプレートのスルーホールを開口面積が低下しないようにして長丸形状とする。ガスケットのシールラインに沿って長丸形状とすることにより、スルーホールのガスケット部位を小さく設計することができる。また、射出ゲートもスルーホールと同様に長丸形状とし、スルーホールとほぼ同じかそれより小さい形状とする。以上により、ガスケットをコンパクト化できる。
【００２４】
（３）プレートのスルーホールをシールラインに沿った長丸穴にすることにより、ガスケットの幅を小さく設計することができ、結果スタックの省スペース化や発電エリアの増大などが期待できる。さらに、射出ゲートも同様に長丸とすることにより、プレートの変形を抑えることができる。
【実施例】
【００２５】
つぎに本発明の実施例を図面にしたがって説明する。
【００２６】
第一実施例・・・
図１は、本発明の第一実施例に係る燃料電池用構成部品を示している。また図２はその製造方法を示している。
【００２７】
当該実施例に係る燃料電池用構成部品は、セパレータ、ＭＥＡまたは樹脂製プレート等よりなるプレート状装着部材１の上下両面にゴム状弾性体よりなる一対のガスケット２，２を一体成形したものである。ガスケット２，２は燃料電池の発電エリアを囲むようにあるいは流体マニホールドを囲むようにプレート１の平面上にレイアウトされており、図１（Ａ）の断面図で紙面直交方向、図１（Ｂ）の平面図で上下方向に延びるガスケット長手方向を有している。また一対のガスケット２，２は互いに上下に対応して、ガスケット長手方向に延びる断面山形のシールリップ３と、シールリップ３の両側または片側（図では両側）に配置されるとともにシールリップ３よりも高さの低い平板状の側部４とを一体に有している。
【００２８】
一方、プレート１は、一対のガスケット２，２の側部４，４同士を連通する位置に、厚さ方向に貫通するスルーホール（貫通穴）５を有し、このスルーホール５を介して一対のガスケット２，２が互いに一体に成形されている。スルーホール５はガスケット２の長手方向に沿って複数が間隔を置いて設けられている。
【００２９】
また、当該実施例では特に、一方の側部４の幅寸法を可及的に小さくすべくスルーホール５の開口形状が、ガスケット長手方向に長い形状に設定され、具体的にはガスケット長手方向に長径を配した長円形（長丸形）に設定されており、これに伴って側部４の幅寸法ｗ４がこのスルーホール５の幅寸法（短径）ｗ５と同等か、もしくはスルーホール５の幅寸法（短径）ｗ５よりも若干大きく設定されている（ｗ４≧ｗ５）。したがって開口形状が円形であった従来対比で、長円形のスルーホール５の幅寸法（短径）ｗ５が円形のスルーホールの幅寸法（直径）よりも小さく設定されるため、側部４の幅寸法ｗ４を従来よりも小さく設定することができる（例えば円形のスルーホールの幅寸法（直径）が０．８ｍｍの場合は、側部４の幅寸法ｗ４を０．８ｍｍ以上に設定する必要がある。これに対し長円形のスルーホール５の幅寸法（短径）ｗ５が半分の０．４ｍｍであれば、側部４の幅寸法ｗ４を０．４ｍｍ以上０．８ｍｍ未満に設定することができ、側部４の幅寸法ｗ４を従来よりも小さく設定することができる）。尚、長円形のスルーホール５の幅寸法（短径）ｗ５は側部４の幅寸法ｗ４以下に設定されているが、長円形のスルーホール５の長さ寸法（長径）Ｌは側部４の幅寸法ｗ４よりも大きく設定されている。
【００３０】
図２（Ａ）に示すように、上記ガスケット２は、金型１１による射出成形によって成形されるものであって、金型１１は、複数の分割型１２，１３のパーティング部１４に、プレートをセットするための空間１５と、一方のガスケット２を成形するための空間１６と、他方のガスケット２を成形するための空間１７とを一体に有している。
【００３１】
また、一方のガスケット２を成形する空間１６の内面に成形材料の注入ゲート１８が開口しており、この注入ゲート１８の開口部１９が図２（Ｂ）に示すように、空間１５にセットした状態のプレート１におけるスルーホール５と平面上重なる位置に配置され、かつ注入ゲート１８の開口形状がスルーホール５と同様にガスケット長手方向に長い形状に設定され、具体的にはガスケット長手方向に長径を配した長円形（長丸形）に設定され、スルーホール５の開口形状よりも一回り小さな長円形（長丸形）に設定されている。したがって注入ゲート１８の開口形状がスルーホール５の開口形状から平面上全くはみ出していないため、注入ゲート１８の開口面積を確保したうえで、成形時の射出圧の影響によってプレート１のスルーホール５周縁部が変形するのを抑制することが可能とされている。
【００３２】
第二実施例・・・
図３は、本発明の第二実施例に係る燃料電池用構成部品を示している。また図４はその製造方法を示している。
【００３３】
当該実施例に係る燃料電池用構成部品は、セパレータ等よりなるプレート状装着部材１の上下両面に対応してガスケット装着溝６を設け、この装着溝６内にゴム状弾性体よりなる一対のガスケット２，２を一体成形したものである。装着溝６およびガスケット２，２は燃料電池の発電エリアを囲むようにあるいは流体マニホールドを囲むようにプレート１の平面上にレイアウトされており、図３（Ａ）の断面図で紙面直交方向、図３（Ｂ）の平面図で上下方向に延びるガスケット長手方向を有している。また一対のガスケット２，２は互いに上下に対応して、ガスケット長手方向に延びる断面山形のシールリップ３と、シールリップ３の両側または片側（図では両側）に配置されるとともにシールリップ３よりも高さの低い平板状の側部４とを一体に有し、更に側部４の平面上に、ガスケット長手方向に延びる溝状凹部７が設けられている。
【００３４】
一方、プレート１は、装着溝６の底面部であって一対のガスケット２，２の側部４，４同士を連通する位置に、厚さ方向に貫通するスルーホール（貫通穴）５を有し、このスルーホール５を介して一対のガスケット２，２が互いに一体に成形されている。スルーホール５はガスケット２の長手方向に沿って複数が間隔を置いて設けられている。
【００３５】
また、当該実施例では特に、一方の側部４の幅寸法を可及的に小さくすべくスルーホール５の開口形状が、ガスケット長手方向に長い形状に設定され、具体的にはガスケット長手方向に長径を配した長円形（長丸形）に設定されており、これに伴って側部４の幅寸法ｗ４がこのスルーホール５の幅寸法（短径）ｗ５と同等か、もしくはスルーホール５の幅寸法（短径）ｗ５よりも若干大きく設定されている（ｗ４≧ｗ５）。したがって開口形状が円形であった従来対比で、長円形のスルーホール５の幅寸法（短径）ｗ５が円形のスルーホールの幅寸法（直径）よりも小さく設定されるため、側部４の幅寸法ｗ４を従来よりも小さく設定することができる。尚、長円形のスルーホール５の幅寸法（短径）ｗ５は側部４の幅寸法ｗ４以下に設定されているが、長円形のスルーホール５の長さ寸法（長径）Ｌは側部４の幅寸法ｗ４よりも大きく設定されている。また長円形のスルーホール５は、側部４の平面上に設けた溝状凹部７と平面上重なる位置に配置され、またスルーホール５の幅寸法（短径）ｗ５は溝状凹部７の幅寸法ｗ７以下に設定されている。
【００３６】
図４（Ａ）に示すように、上記ガスケット２は、金型１１による射出成形によって成形され、金型１１は、複数の分割型１２，１３のパーティング部１４に、プレートをセットするための空間１５と、一方のガスケット２を成形するための空間１６と、他方のガスケット２を成形するための空間１７とを一体に有している。
【００３７】
また、一方のガスケット２を成形する空間１６の内面に成形材料の注入ゲート１８が開口しており、この注入ゲート１８の開口部１９が図４（Ｂ）に示すように、空間１５にセットした状態のプレート１におけるスルーホール５と平面上重なる位置に配置され、かつ注入ゲート１８の開口形状がスルーホール５と同様にガスケット長手方向に長い形状に設定され、具体的にはガスケット長手方向に長径を配した長円形（長丸形）に設定され、スルーホール５の開口形状よりも一回り小さな長円形（長丸形）に設定されている。したがって注入ゲート１８の開口形状がスルーホール５の開口形状から平面上全くはみ出していないため、注入ゲート１８の開口面積を確保したうえで、成形時の射出圧の影響によってプレート１のスルーホール５周縁部が変形するのを抑制することが可能とされている。
【００３８】
第三実施例・・・
図５は、本発明の第三実施例に係る燃料電池用構成部品を示している。
【００３９】
当該実施例に係る燃料電池用構成部品は、セパレータ、ＭＥＡまたは樹脂製プレート等よりなるプレート状装着部材１の上下両面にゴム状弾性体よりなる一対のガスケット２，２を一体成形したものである。ガスケット２，２は燃料電池の発電エリアを囲むようにあるいは流体マニホールドを囲むようにプレート１の平面上にレイアウトされており、図５（Ｂ）の断面図で紙面直交方向、図５（Ｃ）の平面図で上下方向に延びるガスケット長手方向を有している。また一対のガスケット２，２は互いに上下に対応して、ガスケット長手方向に延びる断面山形のシールリップ３と、シールリップ３の両側または片側（図では両側）に配置されるとともにシールリップ３よりも高さの低い平板状の側部４とを一体に有し、更に一方の側部４におけるガスケット長手方向の一部に、側部４の幅寸法を拡大するよう舌片状に突出する幅寸法拡大部（舌片部とも称する）８が設けられている。
【００４０】
一方、プレート１は、一対のガスケット２，２の側部４，４同士を連通する位置に、厚さ方向に貫通するスルーホール（貫通穴）５を有し、このスルーホール５を介して一対のガスケット２，２が互いに一体に成形されている。スルーホール５はガスケット２の長手方向に沿って複数が間隔を置いて設けられている。
【００４１】
また、当該実施例では特に、スルーホール５が幅寸法拡大部８と平面上重なる位置に配置されるとともに、この幅寸法拡大部８を設けた一方の側部４の幅寸法を可及的に小さくすべくスルーホール５の開口形状が、ガスケット長手方向に長い形状に設定され、具体的にはガスケット長手方向に長径を配した長円形（長丸形）に設定されており、これに伴って幅寸法拡大部８を含む一方の側部４の幅寸法ｗ４がこのスルーホール５の幅寸法（短径）ｗ５と同等か、もしくはスルーホール５の幅寸法（短径）ｗ５よりも大きく設定されている（ｗ４≧ｗ５）。したがって開口形状が円形であった従来対比で、長円形のスルーホール５の幅寸法（短径）ｗ５が円形のスルーホールの幅寸法（直径）よりも小さく設定されるため、側部４の幅寸法ｗ４を従来よりも小さく設定することができる。尚、長円形のスルーホール５の幅寸法（短径）ｗ５は幅寸法拡大部８を含む側部４の幅寸法ｗ４以下に設定されているが、長円形のスルーホール５の長さ寸法（長径）Ｌは幅寸法拡大部８を含む一方の側部４の幅寸法ｗ４よりも大きく設定されている。
【００４２】
また、図示はしないが、上記ガスケット２を成形する金型における注入ゲートの開口部１９（この開口部１９のみを図５に示している）が、セットした状態のプレート１におけるスルーホール５と平面上重なる位置に配置され、かつ注入ゲートの開口形状がスルーホール５と同様にガスケット長手方向に長い形状に設定され、具体的にはガスケット長手方向に長径を配した長円形（長丸形）に設定され、スルーホール５の開口形状よりも一回り小さな長円形（長丸形）に設定されている。したがって注入ゲートの開口形状がスルーホール５の開口形状から平面上全くはみ出していないため、注入ゲートの開口面積を確保したうえで、成形時の射出圧の影響によってプレート１のスルーホール５周縁部が変形するのを抑制することが可能とされている。
【００４３】
尚、当該第三実施例の構造は、幅寸法拡大部８を含まない側部４の幅寸法ｗ４４を極端に小さく設定したい場合に特に有効である。
【符号の説明】
【００４４】
１  プレート状装着部材
２  ガスケット
３  シールリップ
４  側部
５  スルーホール
６  ガスケット装着溝
７  溝状凹部
８  幅寸法拡大部
１１  金型
１２，１３  分割型
１４  パーティング部
１５，１６，１７  空間
１８  注入ゲート
１９  開口部
【図１】
0005440775.tif 000002
【図２】
0005440775.tif 000003
【図３】
0005440775.tif 000004
【図４】
0005440775.tif 000005
【図５】
0005440775.tif 000006
【図６】
0005440775.tif 000007
【図７】
0005440775.tif 000008